(57)【要約】      （修正有）【課題】清浄を保ち、かつ破壊されにくい小便器を提供する。【解決手段】洗浄水を下方に流す本体部２０と、その流された洗浄水を収集するボウル部４０と、を有し、本体部とボウル部とは、鋳造によって一体に成型された小便器１０である。【選択図】図１
2020176467.tif 000002
【特許請求の範囲】
【請求項１】
洗浄水を下方に流す本体部と、その流された洗浄水を収集するボウル部と、を有し、
前記本体部と前記ボウル部とは、鋳造によって一体に成型された小便器。
【請求項２】
前記本体部は、その本体部の上端に配置された天板部と、
前記洗浄水を供給する洗浄水吐部と、を有し、
前記洗浄水吐部は、前記天板部の直下に配置した請求項１記載の小便器。
【請求項３】
前記洗浄水吐部は、平面視ほぼ台型状であり、前記台形状における上底に相当する上底部が、前記本体部の内部に倣うように平面視凸曲線形状である請求項２記載の小便器。
【請求項４】
前記洗浄水吐部は、前記天板部の直下であって、前記天板部と接するように配置された第１パッキンと、
前記第１パッキンと接し、かつ洗浄水を導入する第１板部と、
前記導入した洗浄水を受け止める第２板部と、
前記導入した洗浄水が漏水することを防止するための第２パッキンと、を有し、
前記第１板部と、前記第２板部と、の外形は互いに相似形を呈するとともに、
前記第２パッキンは、第１板部と、第２板部との間において、その前記第１板部および第２板部の後方に配置する請求項３記載の小便器。
【請求項５】
前記本体部と、前記ボウル部は、変性エポキシ樹脂下塗り塗料を塗布した第１層と、
エポキシ樹脂中塗り塗料を塗布した第２層と、
ポリウレタン樹脂上塗り塗料を塗布した第３層と、を有し、
前記第１層の上に前記第２層を有し、
さらに前記第２層の上に前記第３層の塗装を有する請求項１から４いずれかに記載の小便器。
【発明の詳細な説明】
【技術分野】
【０００１】
本発明は、小便器に関するものである。
【背景技術】
【０００２】
従来、小便器は、陶器製のものが使用されている。これは、大量生産に好ましいものであり、表面に比較的凹凸がなく、細菌の繁殖を抑えられ衛生的であることから長年使用されている。
【０００３】
このような小便器は個人の住宅用のみならず、公園などの公共施設においても使用されている。また、このような小便器に関する出願は多数みられ、例えば、特開平０７―０１１６９０号公報に記載されている小便器も陶器製のものが開示されている。
【０００４】
しかしながら近年公園などの公共施設に設置された小便器を破壊するという不法行為を行う者がいる。すなわち小便器は、陶器製であるために、バールのようなもので叩き割られる場合がありこのようなことが発生している。このような場合、破壊された小便器の修復に多大な費用がかかるとともに、その修復までの時間的損失も大である。
【０００５】
このような者にその賠償を求めることができるが、逃亡していることもあり容易ではない。また、その修復の間、他の者も利用ができないことから、破壊されにくい小便器が求められている。
【先行技術文献】
【特許文献】
【０００６】
【特許文献１】特開平０７―０１１６９０号公報
【発明の開示】
【発明が解決しようとする課題】
【０００７】
本発明は前記の点に着目してなされたもので、その課題は、清浄を保ち、かつ破壊されにくい小便器を提供することである。
【課題を解決するための手段】
【０００８】
前記の課題を解決するために、第１観点の小便器は、洗浄水を下方に流す本体部と、その流された洗浄水を収集するボウル部と、を有し、本体部とボウル部とは、鋳造によって一体に成型されているというものである。
【０００９】
また、第２観点の小便器は、第１観点において、本体部は、その本体部の上端に配置された天板部と、洗浄水を供給する洗浄水吐部と、を有し、洗浄水吐部は、天板部の直下に配置したというものである。
【００１０】
また、第３観点の小便器は、第２観点において、洗浄水吐部は、平面視ほぼ台型状であり、台形状における上底に相当する上底部が、本体部の内部に倣うように平面視凸曲線形状であるというものである。
【００１１】
また、第４観点の小便器は、第３観点において、洗浄水吐部は、天板部の直下であって、その天板部と接するように配置された第１パッキンと、第１パッキンと接し、かつ洗浄水を導入する第１板部と、導入した洗浄水を受け止める第２板部と、導入した洗浄水が漏水することを防止するための第２パッキンと、を有し、第１板部と、前記第２板部と、の外形は互いに相似形を呈するとともに、第２パッキンは、第１板部と、第２板部との間において、その第１板部および第２板部の後方に配置するというものである。
【００１２】
また、第５観点の小便器は、第１観点からまた、第４観点において、本体部と、ボウル部は、変性エポキシ樹脂下塗り塗料を塗布した第１層と、エポキシ樹脂中塗り塗料を塗布した第２層と、ポリウレタン樹脂上塗り塗料を塗布した第３層と、を有し、第１層の上に第２層を有し、さらに第２層の上に第３層の塗装を有するというものである。
【発明の効果】
【００１３】
本発明は以上のように構成され、かつ、作用するものであるから、清浄を保ち、かつ破壊されにくい小便器を提供することができる。
【図面の簡単な説明】
【００１４】
【図１】Ａは、本実施例における小便器の斜視図である。Ｂは、本実施例における小便器の正面斜視図である。
【図２】Ａは、本実施例における小便器の正面図である。Ｂは、本実施例における小便器の平面図である。
【図３】Ａは、本実施例における小便器の側面図である。Ｂは、本実施例における小便器の断面図である。
【図４】洗浄水吐部を透視した状態を示す平面図である。
【図５】Ａは、図２Ａの部分拡大図である。Ｂは、図３Ｂの部分拡大図である。
【図６】Ａは、洗浄水吐部の平面図である。Ｂは、洗浄水吐部の分解正面図である。
【図７】Ａは、第１パッキンの平面図である。Ｂは、第１パッキンの正面図である。
【図８】Ａは、第１板部の平面図である。Ｂは、第１板部の正面図である。
【図９】Ａは、第２パッキンの平面図である。Ｂは、第２パッキンの正面図である。
【図１０】Ａは、第２板部の平面図である。Ｂは、第２板部の正面図である。
【図１１】Ａは、トラップ部の平面図である。Ｂは、トラップ部の底面図である。Ｃは、トラップ部の側面図である。Ｂは、トラップ部の断面図である。
【発明を実施するための最良の形態】
【００１５】
以下、図示の実施形態を参照して本実施例について説明する。本実施例の小便器１０は、いわゆるストール型小便器であり、汚水を下方に流す本体部２０と、その流された汚水を収集し、排水部５０に流すためのボウル部４０と、を有し、それらは一体として鋳造されている。このように、小便器１０は、鋳鉄製であり、特にダグタイル鋳鉄が好ましい。
【００１６】
また、小便器１０における本体部２０と、ボウル部４０は、表面を塗装することで保護することが好ましい。例えば、下塗りをする下塗工程と、中塗りをする中塗工程と、上塗りをする上塗工程と、の３工程の塗装工程が好ましく、下塗工程で塗料を塗布した第１層と、中塗工程で塗布した第２層と、上塗工程で塗布した第３層とを有するものである。
【００１７】
具体的には、素地を調整するために、鋳造後、表面に付着した、油脂、各種塩類などの付着物を除去した後に、さび止めを目的とし、下塗工程として、変性エポキシ樹脂下塗り塗料を塗布する。この場合の膜厚は５０マイクロメートルが好ましい。これを２回繰り返す。これが下塗工程において所定の塗料を塗布することで第１層が構成される。
【００１８】
また、第１層が固化した後に、中塗工程として、エポキシ樹脂中塗り塗料を塗布する。これは、膜厚を厚くするとともに、下塗り塗料を保護し、かつ、上塗りの仕上がり感を向上させるために行うものである。なお、この場合の膜厚は３０マイクロメートルが好ましい。これが中塗工程において所定の塗料を塗布することで第２層が構成される。
【００１９】
次に、エポキシ樹脂中塗り塗料が固化したのちに、上塗工程としてポリウレタン樹脂上塗り塗料を塗布する。これは、耐薬品性、耐候性、耐水性、着色 を目的として行うものである。なお、この場合の膜厚は３０マイクロメートルが好ましい。また、これを２回繰り返す。これが上塗工程において所定の塗料を塗布することで第３層が構成される。
【００２０】
このように、小便器１０における本体部２０と、ボウル部４０は、下塗工程と、中塗工程と、上塗工程との３工程を行うが、下塗工程で使用する塗料は変性エポキシ樹脂下塗り塗料が好ましく特に好ましくは、日本ペイント株式会社製のハイポン２０である。
【００２１】
また、中塗工程で使用する塗料はエポキシ樹脂中塗り塗料が好ましく、特に、同社製のハイポン３０マスチック中塗り塗料が好ましい。これが中塗工程において所定の塗料を塗布した第２層である。また、上塗工程で使用する塗料はポリウレタン樹脂上塗り塗料が好ましく、特に、同社製のハイポン５０が好ましい。
【００２２】
このように、小便器１０における本体部２０と、ボウル部４０は、第１層と、その第１層の上に第２層と、その第２層の上に第３層の塗装を有するものである。また好ましくは、下塗工程において、変性エポキシ樹脂下塗り塗料を塗布した第１層と、中塗工程において、エポキシ樹脂中塗り塗料を塗布した第２層と、上塗工程において、ポリウレタン樹脂上塗り塗料を塗布した第３層と、を有し、第１層の上に第２層を有し、さらに第２層の上に第３層の塗装を有するというものである。従って、本体部２０と、ボウル部４０の素地と接するものは第１層であり、第３層が外気に触れるというものである。このように、本体部２０と、ボウル部４０は、第１層、第２層、第３層の塗膜を有しているために、錆に耐性を有し、かつ、汚れが付着しにくいものとなるので清浄性を保つことができる。
【００２３】
本体部２０は、平面視曲面状であり角丸のほぼ三角形状を呈するとともに、図３Ｂにおいて、水平方向に張り出した天板部２１から曲線状の曲線部２２を経て垂直方向に下降する壁部２３を有する構成であり、その下方において、縦断面視Ｊの字状のボウル部４０を有している。また本体部２０は本体取り付け部２０ａ、２０ａを有し、図示しない建物の壁に固定することができる。
【００２４】
本体部２０の下部に、ボウル部４０が配置され、開口部であるボウル開口部４１と、その直下に周回するように段差状を呈する導水部４２と、ボウル本体部４３とを有する。ボウル本体部４３の下部に、排水部５０を配置している。
【００２５】
ボウル開口部４１の縁部分は、ボウル部４０よりも肉厚の構成により汚水の跳ね返りを防いでいる。また、導水部４２は、ボウル開口部４１の直下であって、ボウル本体部４３の上部において、後述する洗浄水吐部３０から排出された洗浄水が周回するように構成されている。
【００２６】
導水部４２は、ボウル本体部４３全域に渡って洗浄水を供給するためのもので、後述する洗浄水吐部３０から排出された洗浄水を、その段差である導水部４２を伝って流水させることで、徐々にその導水部４２から、洗浄水があふれ出し、ボウル本体部４３の全域にわたって洗浄することができる。
【００２７】
また、本体部２０の上端に配置された天板部２1は、ほぼ角丸の三角形状呈し、いわば三日月状というべき形状である。
【００２８】
天板部２１は、洗浄水を小便器１０に供給するための給水部２５を有する。給水部２５は図示しない水道管に接続することで、洗浄水の供給を受けることができる。また、天板部２１の直下には、その洗浄水を本体部２０における壁部２３に沿うように排水するための洗浄水吐部３０が配置されている。洗浄水吐部２５の平面形状は、本体部２０の内部形状に倣う形状を呈しており、上記のとおり、横断面視ほぼ台型状であり、その台形状における上底に相当する上底部２６と、下底に相当する下底部２６が、それぞれ平面視凸曲線と平面視凹曲線というべき形状を呈している。
【００２９】
洗浄水吐部３０は、天板部２１の直下であって、その天板部２１に接するように配置された第１パッキン３１０と、給水部２５と接続する第１板部３２０と、第２板部３３０と、その第１板部３２０と、その第２板部３３０との間に配置された第２パッキン３４０とを有する。
【００３０】
第１板部３２０は、給水部２５から流入する洗浄水を導入するものであって、第２板部３３０は、その流入した洗浄水を、受け止めるものであり、第２パッキン３４０とあいまって、その流入した洗浄水を前方Ｆへ流出するように誘導するものである。第１パッキン３１０は、天板部２１と第１板部３２０との間に配置され、給水部２５から流入する洗浄水の漏水および第１板部３２０との接触による損傷を防止するためのものである。
【００３１】
第１パッキン３１０と、第１板部３２０と、第２板部３３０と、は、それぞれ相似形を呈し、徐々にその外形が大きくなるように設定されている（図６参照）。また、それらは、平面視ほぼ台型状であり、その台形における上底と下底に相当する部分が、それぞれ凸曲線と凹曲線というべき形状を呈している。すなわち第１パッキン３１０は、平面視ほぼ台型状であり（図７Ａ参照）、その台形における上底に相当する第１パッキン上底３１１と下底に相当する第１パッキン下底３１２が、それぞれ凸曲線および凹曲線というべき形状を呈している。また、第１パッキン３１０のほぼ中央に、後述する給水部２５と接続する第１板部３２０における接続部３２３を挿入するための開口部３１３を有している。また、上底３１１の両側に配置した両側部３１４、３１４も、本体部２０の内部の形状に沿うように曲線状を呈している。また、第１パッキン下底３１２の沿うように、ネジＰをねじ込むための孔部３１５、３１５、３１５を有している。尚、中央の孔部３１５は、開口部３１３と一体化している。
【００３２】
第１板部３２０は、第１パッキン３１０に密着しており、第１パッキン３１０より、ふたまわりその外形が大となる構成である。具体的にはその第１板部３２０の面積は、第１パッキン３１０の面積よりおよそ２０パーセント大となることが好ましい。第１板部３２０は、平面視ほぼ台型状であり（図８Ａ参照）、その台形における上底に相当する第１板部上底３２１と下底に相当する第１板部下底３２２が、それぞれ凸曲線状および凹曲線というべき形状を呈している。また、第１板部３２０のほぼ中央に、給水部２５から、清浄水の供給を受けるための接続部３２３を有する。また、第１板部上底３２１の両側に配置した第１板部両側部３２４、３２４も、本体部２０の内部の形状に沿うように曲線状を呈している。また、第１第１板部下底３２２に沿うように、ネジＰをねじ込むための孔部３２５、３２５、３２５を有している。
【００３３】
第２板部３３０は、第１板部３２０より、ひとまわりその外形が大となる構成である。具体的にはその第２板部３３０の面積は、第１板部３２０の面積よりおよそ１３パーセント大となることが好ましい。また、第２板部３３０は、平面視ほぼ台型状であり（図１０Ａ参照）、その台形における上底に相当する第２板部上底３３１と下底に相当する第２板部下底３３２が、それぞれ凸曲線および凹曲線というべき形状を呈している。また、第２板部上底３３１の両側に配置した第２板部両側部３３４、３３４も、本体部２０の内部の形状に沿うように曲線状を呈している。また、第２板部下底３３２に沿うように、ネジＰをねじ込むための孔部３３５、３３５、３３５を有している。
【００３４】
第２パッキン３４０は、第１板部３２０から導入された洗浄水を後方Ｒへ漏水することを防止するためのものであり、第１板部３２０と第２板部３３０との間に配置されている。第２パッキン３４０は所定幅を有する帯状であって、下辺部３４１は、凹曲線を呈し、その曲率は、第１板部下底３２２および第２板部下底３３２とほぼ一致し、それらに沿うように配置されている（図６、９参照）。このように、第２パッキン３４０は、第１板部３２０と第２板部３３０との間において、それらの後方Ｒに配置されているので、上記のとおり、洗浄水吐部３０の後方Ｒへ洗浄水が流出することを防止している。また、洗浄水吐部３０における第１パッキン３１０と、第１板部３２０と、第２板部３３０と、は、図５Ｂにおいて、徐々に前方Ｆに張り出すように、段差状に配置されている。また、下辺部３４１に沿うように、ネジＰをねじ込むための孔部３４５、３４５、３４５を有している。
【００３５】
上記構成の洗浄水吐部３０は、給水部２５から供給された洗浄水を吐出する。そのときに、洗浄水吐部３０における第１パッキン３１０は天板部２１に接するように配置され、本体部２０の曲線部２２に、徐々に前方Ｆに張り出すように段差状に配置されている第１パッキン３１０と、第１板部３２０と、第２板部３３０とが、その曲面に倣うように、かつ隙間Ｓを有するように配置されているので（図５Ｂ参照）、洗浄水が、その曲線部２２から壁部２３に沿うように流れ、本体部２０の全域にわたって洗浄することができる。この隙間Ｓは、例えば、２ミリメートルから４ミリメートル程度が好ましく、とくに３ミリメートルが好ましい。
【００３６】
また、給水部２５から供給された洗浄水は、第１板部３２０と第２板部３３０との間に進入し、その前方Ｆに排水される。なお、第２パッキン３４０は、第１板部３２０と第２板部３３０との間においてその後方Ｒに配置されているので、その洗浄水は後方Ｒに排水されない。
【００３７】
すなわち、洗浄水吐部３０の第１板部３２０と、第２板部３３０との間から洗浄水が排水される。詳述すれば、第１板部３２０における第１板部上底３２１とその両側に配置した第１板部両側部３２４、３２４と、第２板部３３０における第２板部上底３３１とその両側に配置した第２板部両側部３３４、３３４と、の間から洗浄水が排水される（図６Ａ参照）。その洗浄水は、本体部２０における壁部２３全域に沿うように落下し、その壁部２３全域を洗浄する。さらに落下した洗浄水は、段差状の導水部４２に、沿うように流れ、後方Ｒに回り込みボウル本体部４３の上部において周回するよう流れつつ、さらにその段差状の導水部４２から落下し、ボウル本体部４３全域を洗浄する。
【００３８】
ボウル本体部４３の下部に排水部５０を有する。排水部５０は、平面視欠円状を呈する開口部４３ａの内部において、排水管１００に接続するための管状の排管部５１と、その周囲に、臭気を防ぐための封水を貯留するための貯留部５２と、その排水部５１の上部に蓋をするようにトラップ部５３を有している。
【００３９】
トラップ部５３は、開口部４３ａ内に配置するためのものであり蓋状を呈するトラップ本体部５３１とその上部につまみ部５３２と、本体部５３１の下部に筒状を呈する筒状部５３３とその内部において平面視放射状に配置されたリブ５３４、５３４、５３４を有する。
【００４０】
トラップ本体部５３１は、平面視欠円状を呈し、その欠円状を呈する欠円部５３１ａは、前方Ｆに配置される。設置する方向を規定するためである。
【００４１】
このように上記構成の小便器１０は、鋳鉄製であるので、堅牢強固にして、破壊されにくいものである。また、上記のとおり、本体部２０とボウル部４０は、下塗工程で塗布した第１層と、中塗工程で塗布した第２層と、上塗工程で塗布した第３層と、を有し、その第１層の上に第２層を有し、さらにその第２層の上に第３層の塗装を有するので、防錆効果とともに、耐久性に冨むものである。また、上記構成の洗浄水吐部３０が上記の如く、小便器１０の上部に配置されているので、本体部２０およびボウル部４０のほぼ全域に渡って洗浄水を流水させることで、清潔に保つことができる。
【符号の説明】
【００４２】
１０  小便器
２０  本体部
２１  天板部
３０  洗浄水吐部
３１０  第１パッキン
３２０  第１板部と
３３０  第２板部
３４０  第２パッキン
４０  ボウル部
【図１】
2020176467.tif 000003
【図２】
2020176467.tif 000004
【図３】
2020176467.tif 000005
【図４】
2020176467.tif 000006
【図５】
2020176467.tif 000007
【図６】
2020176467.tif 000008
【図７】
2020176467.tif 000009
【図８】
2020176467.tif 000010
【図９】
2020176467.tif 000011
【図１０】
2020176467.tif 000012
【図１１】
2020176467.tif 000013